(57)【要約】荷振れを抑制しつつ、高速に地切り判定することのできる地切り制御装置を提供する。地切り制御装置Ｄは、起伏自在に構成されるブーム１４と、ワイヤロープ１６を介して吊荷を巻上／巻下げるウインチ１３と、ブーム１４に作用する荷重を計測する荷重計測手段２２と、ブーム１４及びウインチ１３を制御するコントローラ４０であって、ウインチ１３を巻上げて吊荷を地切りする際に、荷重データの時系列から荷重最大値を変数として保持し、荷重最大値の時間変化に基づいてブーム１４の起伏角度の変化量を求め、該変化量を補うようにブーム１４を起伏させるようになっている、コントローラ４０とを備えている。
2020166690.tif 000002
【特許請求の範囲】
【請求項１】
起伏自在に構成されるブームと、
ワイヤロープを介して吊荷を巻上／巻下げるウインチと、
前記ブームに作用する荷重を計測する荷重計測手段と、
前記ブーム及び前記ウインチを制御する制御部であって、前記ウインチを巻上げて吊荷を地切りする際に、荷重データの時系列から荷重最大値を変数として保持し、
荷重最大値の時間変化に基づいて前記ブームの起伏角度の変化量を求め、該変化量を補うように前記ブームを起伏させるようになっている、制御部と、
を備える、地切り制御装置。
【請求項２】
前記ブームの姿勢を計測する姿勢計測手段をさらに備え、
前記制御部は、計測された前記ブームの姿勢の初期値と、計測された荷重の初期値と、に基づいて対応する特性テーブル又は伝達関数を選択し、該特性テーブル又は伝達関数を使用して、荷重最大値の時間変化から前記ブームの起伏角度の変化量を求めるようになっている、請求項１に記載された、地切り制御装置。
【請求項３】
前記制御部は、前記ウインチを巻上げて吊荷を地切りする際に、前記ウインチを定速で巻上げるようにされている、請求項１又は請求項２に記載された、地切り制御装置。
【請求項４】
前記制御部は、前記ウインチを巻上げて吊荷を地切りする際に、荷重最大値が所定時間にわたって変化がない状態が継続することによって、地切りしたと判定するようにされている、請求項１乃至請求項３のいずれか一項に記載された、地切り制御装置。
【請求項５】
請求項１乃至請求項４のいずれか一項に記載された地切り制御装置を備える、移動式クレーン。
【発明の詳細な説明】
【技術分野】
【０００１】
本発明は、地面から吊荷を吊り上げる際の荷振れを抑制するための地切り制御装置に関するものである。
【背景技術】
【０００２】
従来から、ブームを備えたクレーンにおいて、地面から吊荷を吊り上げる際に、すなわち吊荷を地切りする際に、ブームに生じるたわみによって作業半径が増大することによって、吊荷が水平方向に振れる「荷振れ」が問題となっている（図１参照）。【０００３】
地切りの際の荷振れを防止することを目的として、例えば、特許文献１に記載された鉛直地切り制御装置は、エンジン回転数センサによってエンジンの回転数を検出し、ブームの起仰作動をエンジン回転数に応じた値に補正するように構成されている。このような構成によって、エンジン回転数の変化を加味した正確な地切り制御を実施できる、とされている。
【先行技術文献】
【特許文献】
【０００４】
【特許文献１】特開平８−１８８３７９号公報
【発明の概要】
【発明が解決しようとする課題】
【０００５】
特許文献１を含む従来の地切り制御装置は、荷重データの時系列に基づいて地切りを判定している。ところが、荷重データの時系列は、ブームの撓み振動の影響等を受けて大きく振動する。そのため、荷重データが安定するまで待つことになり、地切り判定に時間がかかる要因となっていた。【０００６】
そこで、本発明は、荷振れを抑制しつつ、高速に地切りすることのできる、地切り制御装置と、移動式クレーンと、を提供することを目的としている。
【課題を解決するための手段】
【０００７】
前述した目的を達成するために、本発明の地切り制御装置は、起伏自在に構成されるブームと、ワイヤロープを介して吊荷を巻上／巻下げるウインチと、前記ブームに作用する荷重を計測する荷重計測手段と、前記ブーム及び前記ウインチを制御する制御部であって、前記ウインチを巻上げて吊荷を地切りする際に、荷重データの時系列から荷重最大値を変数として保持し、荷重最大値の時間変化に基づいて前記ブームの起伏角度の変化量を求め、該変化量を補うように前記ブームを起伏させるようになっている、制御部と、を備えている。
【発明の効果】
【０００８】
このように、本発明の地切り制御装置は、ブームと、ウインチと、荷重計測手段とウインチを巻上げて吊荷を地切りする際に、荷重データの時系列から荷重最大値を変数として保持し、荷重最大値の時間変化に基づいてブームの起伏角度の変化量を求め、変化量を補うようにブームを起伏させるようになっている制御部と、を備えている。このような構成であるため、荷振れを抑制しつつ、高速に地切りすることができる。
【図面の簡単な説明】
【０００９】
【図１】吊荷の荷振れについて説明する説明図である。
【図２】移動式クレーンの側面図である。
【図３】地切り制御装置のブロック図である。
【図４】荷重−起伏角の関係を示すグラフである。
【図５】地切り制御装置の全体のブロック線図である。
【図６】地切り制御のブロック線図である。
【図７】地切り制御のフローチャートである。
【図８】荷重最大値に基づく地切り制御の概念について説明するグラフである。
【図９】荷重最大値を更新するアルゴリズムについて説明するブロック線図である。
【発明を実施するための形態】
【００１０】
以下、本発明に係る実施例について図面を参照して説明する。ただし、以下の実施例に記載されている構成要素は例示であり、本発明の技術範囲をそれらのみに限定する趣旨のものではない。
【実施例】
【００１１】
本実施例の移動式クレーンとしては、例えば、ラフテレーンクレーン、オールテレーンクレーン、トラッククレーン等が挙げられる。以下、本実施例に係る作業車両としてラフテレーンクレーンを例に説明するが、他の移動式クレーンにも、本発明に係る安全装置を適用することができる。【００１２】
（移動式クレーンの構成）
まず、図２の側面図を用いて、移動式クレーンの構成について説明する。本実施例のラフテレーンクレーン１は、図２に示すように、走行機能を有する車両の本体部分となる車体１０と、車体１０の四隅に設けられたアウトリガ１１，・・・と、車体１０に水平旋回可能に取り付けられた旋回台１２と、旋回台１２の後方に取り付けられたブーム１４と、を備えている。【００１３】
アウトリガ１１は、スライドシリンダを伸縮させることによって、車体１０から幅方向外側にスライド張出／スライド格納可能であるとともに、ジャッキシリンダを伸縮させることによって車体１０から上下方向にジャッキ張出／ジャッキ格納可能である。【００１４】
旋回台１２は、旋回モータ６１の動力が伝達されるピニオンギヤを有しており、このピニオンギヤが車体１０に設けた円形状のギヤに噛み合うことで旋回軸を中心に回動する。旋回台１２は、右前方に配置された操縦席１８と、後方に配置されたカウンタウェイト１９と、を有している。【００１５】
さらに、旋回台１２の後方には、ワイヤ１６を巻上／巻下げるためのウインチ１３が配置されている。ウインチ１３は、ウインチモータ６４を正方向／逆方向に回転させることによって、巻上げ方向（巻き取る方向）／巻下げ方向（繰り出す方向）の２方向に回転するようになっている。【００１６】
ブーム１４は、基端ブーム１４１と（１つ又は複数の）中間ブーム１４２と先端ブーム１４３とによって入れ子式に構成されており、内部に配置された伸縮シリンダ６３によって伸縮できるようになっている。先端ブーム１４３の最先端のブームヘッド１４４にはシーブが配置され、シーブにワイヤロープ１６が掛け回されてフック１７が吊下げられている。【００１７】
基端ブーム１４１の付け根部は、旋回台１２に設置された支持軸に回動自在に取り付けられており、支持軸を回転中心として上下に起伏できるようになっている。そして、旋回台１２と基端ブーム１４１の下面との間には、起伏シリンダ６２が架け渡されており、起伏シリンダ６２を伸縮することでブーム１４全体を起伏することができるようになっている。【００１８】
（制御系の構成）
次に、図３のブロック図を用いて、本実施例の地切り制御装置Ｄの制御系の構成について説明する。地切り制御装置Ｄは、制御部としてのコントローラ４０を中心として構成されている。コントローラ４０は、入力ポート、出力ポート、演算装置などを有する汎用のマイクロコンピュータである。コントローラ４０は、操作レバー５１〜５４（旋回レバー５１、起伏レバー５２、伸縮レバー５３、ウインチレバー５４）からの操作信号を受けて、図示しない制御バルブを介してアクチュエータ６１〜６４（旋回モータ６１、起伏シリンダ６２、伸縮シリンダ６３、ウインチモータ６４）を制御する。【００１９】
さらに、本実施例のコントローラ４０には、地切り制御を開始／停止するための地切りスイッチ２０と、地切り制御におけるウインチ１３の速度を設定するためのウインチ速度設定手段２１と、ブーム１４に作用する荷重を計測する荷重計測手段２２と、ブーム１４の姿勢を検出するための姿勢検出手段２３と、が接続されている。【００２０】
地切りスイッチ２０は、地切り制御の開始又は停止を指示するための入力機器であり、例えば、ラフテレーンクレーン１の安全装置に付加する構成とすることが可能であり、操縦席１８に配置されることが好ましい。【００２１】
ウインチ速度設定手段２１としては、地切り制御におけるウインチ１３の速度を設定する入力機器であり、あらかじめ設定された速度から適切な速度を選択する方式のものや、テンキーによって入力する方式のものがある。さらに、ウインチ速度設定手段２１は、地切りスイッチ２０と同様に、ラフテレーンクレーン１の安全装置に付加する構成とすることが可能であり、操縦席１８に配置されることが好ましい。このウインチ速度設定手段２１によってウインチ１３の速度を調整することで、地切り制御に要する時間を調整することができる。【００２２】
荷重計測手段２２は、ブーム１４に作用する荷重を計測する計測機器であり、例えば、起伏シリンダ６２に作用する圧力を計測する圧力計（２２）とすることができる。圧力計（２２）によって計測された圧力信号は、コントローラ４０に伝送される。【００２３】
姿勢検出手段２３は、ブーム１４の姿勢を検出する計測機器であり、ブーム１４の起伏角度を計測する起伏角度計２３１と、起伏角速度を計測する起伏角速度計２３２と、から構成される。具体的には、起伏角度計２３１としては、ポテンショメータを用いることができる。また、起伏角速度計２３２としては、起伏シリンダ１５に取り付けられたストロークセンサを用いることができる。起伏角度計２３１によって計測された起伏角度信号、及び、起伏角速度計２３２によって計測された起伏角速度信号は、コントローラ４０に伝送される。【００２４】
コントローラ４０は、ブーム１４及びウインチ１３の作動を制御する制御部であり、地切りスイッチ２０がＯＮにされることでウインチ１３を巻上げて吊荷を地切りする際に、荷重計測手段２２によって計測された荷重の時間変化に基づいて、ブーム１４の起伏角度の変化量を予測し、予測された変化量を補うようにブーム１４を起伏させる。【００２５】
より具体的に言うと、コントローラ４０は、機能部として、特性テーブル又は伝達関数の選択機能部４０ａと、実際に地切りされたか否かを判定することによって地切り制御を停止させる地切り判定機能部４０ｂと、荷重データの時系列から荷重最大値を変数として保持し、地切り判定機能部４０ｂへ出力する最大値更新機能部４０ｃと、を有している。【００２６】
特性テーブル又は伝達関数の選択機能部４０ａは、荷重計測手段としての圧力計２２からの圧力の初期値と、姿勢計測手段としての起伏角度計２３からの起伏角度の初期値と、の入力を受けて、適用する特性テーブル又は伝達関数を決定する。ここにおいて、伝達関数としては、以下のように、線形係数ａを用いた関係を適用することができる。【００２７】
まず、図４の荷重−起伏角のグラフに示すように、荷振れが生じないようにブーム先端位置が常に吊荷の真上に来るように調整した場合に、荷重と起伏角（先端対地角度）は線形の関係にあることがわかっている。地切り中に、時刻ｔ１から時刻ｔ２の間に荷重Ｌｏａｄ１がＬｏａｄ２へ変化したと仮定すると、
【数１】
2020166690.tif 000003
【００２８】
２式の差から、差分方程式を求めると、
【数２】
2020166690.tif 000004
【００２９】
起伏角を制御するためには、起伏角速度を与える必要がある。
【数３】
2020166690.tif 000005
ここで、ａは定数（線形係数）である。
すなわち、起伏角制御は、荷重の時間変化（微分）が入力になる。【００３０】
地切り判定機能部４０ｂは、最大値更新機能部４０ｃからその時点の荷重最大値を受信し、この荷重最大値の時間変化に基づいて、地切りの有無を判定する。地切り判定の手法については、図８を用いて後述する。【００３１】
最大値更新機能部４０ｃは、荷重計測手段としての圧力計２２からの圧力信号から荷重の値を計算し、計算した荷重の値の時系列データから、その時点の荷重の最大値である荷重最大値を変数として保持する。そして、荷重最大値とその時点の計測データを比較することによって荷重最大値を更新したうえで地切り判定機能部４０ｂへ渡す。荷重最大値を更新するアルゴリズムについては、図９を用いて後述する。【００３２】
（全体のブロック線図）
次に、図５のブロック線図を用いて、本実施例の地切り制御を含む全体の要素間の入力・出力関係を詳細に説明する。まず、荷重変化算出部７１において、荷重計測手段２２によって計測された荷重から荷重最大値の時系列データに基づいて、荷重最大値の時間変化が計算される。計算された荷重最大値の時間変化は、目標軸速度算出部７２に入力される。この目標軸速度算出部７２における入力・出力関係については、図６を用いて後述する。【００３３】
目標軸速度算出部７２では、起伏角の初期値と、設定ウインチ速度と、入力された荷重最大値の時間変化と、に基づいて、目標軸速度が算出される。目標軸速度は、ここでは、目標起伏角速度（及び、必須ではないが、目標ウインチ速度）である。算出された目標軸速度は、軸速度コントローラ７３に入力される。ここまでの前半部分の制御が、本実施例の地切り制御に関する処理である。【００３４】
その後、軸速度コントローラ７３、軸速度の操作量変換処理部７４を経て操作量が制御対象７５に入力される。この後半部分の制御は、通常の制御に関する処理であり、計測された起伏角速度に基づいてフィードバック制御されている。【００３５】
（地切り制御のブロック線図）
次に、図６のブロック線図を用いて、特に地切り制御の目標軸速度算出部７２における要素の入力・出力関係について説明する。まず、起伏角度の初期値が、特性テーブル／伝達関数の選択機能部８１（４０ａ）に入力される。選択機能部８１では、特性テーブル（ＬｏｏｋｕｐＴａｂｌｅ）又は伝達関数を使用して、最も適切な定数（線形係数）ａが選択されるようになっている。【００３６】
そして、数値微分部８２において、荷重変化の数値微分（時間に関する微分）が実施されて、この数値微分の結果に定数ａを乗ずることで、目標起伏角速度が計算される。すなわち、前述した（式３）の計算が実行されることで、目標起伏角速度が計算される。このように、目標起伏角速度の制御は、特性テーブル（又は伝達関数）を用いて、フィードフォワード制御されている。【００３７】
（フローチャート）
次に、図７のフローチャートを用いて、本実施例の地切り制御の全体の流れについて説明する。【００３８】
はじめに、オペレータが地切りスイッチ２０を押して地切り制御が開始される（ＳＴＡＲＴ）。このとき、地切り制御のあらかじめ開始前に又は開始後に、ウインチ速度設定手段２１を介して、ウインチ１３の目標速度が設定される。そうすると、コントローラ４０は、目標速度で、ウインチ制御を開始する（ステップＳ１）。【００３９】
次に、ウインチ１３が巻上げられると同時に、荷重計測手段２２によって吊荷荷重計測が開始されて、コントローラ４０に荷重値が入力される（ステップＳ２）。そうすると、選択機能部４０ａでは、荷重の初期値と、姿勢計測手段としての起伏角度計２３からの起伏角度の初期値と、の入力を受けて、適用する特性テーブル又は伝達関数が決定される（ステップＳ３）。【００４０】
次に、コントローラ４０では、適用される特性テーブル又は伝達関数と、荷重最大値の時間変化と、に基づいて、起伏角速度が算出される（ステップＳ４）。すなわち、フィードフォワード制御によって、起伏角速度制御がなされている。【００４１】
そして、荷重最大値の時間変化に基づいて地切りの有無が判定される（ステップＳ５）。なお、判定手法については後述する。判定の結果、地切りされていない場合は（ステップＳ５のＮＯ）、ステップＳ２へ戻って、荷重に基づくフィードフォワード制御を繰り返す（ステップＳ２〜ステップＳ５）。【００４２】
判定の結果、地切りされている場合は（ステップＳ５のＹＥＳ）、地切り制御を緩停止する（ステップＳ６）。すなわち、ウインチモータによるウインチ１３の回転駆動を速度を落としながら停止するとともに、起伏シリンダ６２による起伏駆動を速度を落としながら停止する。【００４３】
（荷重最大値の更新アルゴリズム、及び、地切り判定）
次に、図８（ａ）、（ｂ）、図９を用いて、本実施例の荷重最大値の更新アルゴリズム、及び、地切り判定手法について詳しく説明する。【００４４】
上述してきたように、コントローラ４０は、その機能部として、ウインチ１３を巻上げて吊荷を地切りする際に、荷重データの時系列から荷重最大値を変数として保持するための最大値更新機能部４０ｃを有している。【００４５】
すなわち、最大値更新機能部４０ｃは、図８に示すように、ブーム１４の撓みによる曲げ振動の影響を受けて振動する荷重の時系列データ（計測値）から（図８（ａ）参照）、時々刻々の荷重の最大値である荷重最大値を更新しつつ、変数として保持する（図８（ｂ）参照）。そうすると、図８（ｂ）に示すように、荷重最大値（図中の実線）は、時間経過とともに水平か、又は、右上がりのグラフとなる。すなわち、右下がりの部分は除去されることになる。【００４６】
この荷重の最大値を更新するアルゴリズムは、具体的には、図９のブロック線図に示すように、「荷重最大値」（ＬｏａｄＭａｘ）というグローバル変数（配列）を用意し、タイムステップ毎に計測値とグローバル変数である「荷重最大値」を比較して（比較部９１）、値が大きい方をグローバル変数の「荷重最大値」に保存するようにする（要素９２、９３）。この処理は、地切り処理中に、繰り返し実行されることになる。【００４７】
そして、コントローラ４０は、「荷重最大値」の経時的な変化を監視し、荷重最大値が所定時間にわたって変化がない状態が継続することによって、地切りしたと判定するようにされている。すなわち、図８（ｂ）に示すように、地切りされた後は、荷重データの振幅は時間とともに減衰するため、荷重の最大値は更新されずに一定値が継続することになる。したがって、この定常状態を捉えることによって、地切りされたと判定することができる。【００４８】
そして、本実施例では、図６及び図７を用いて説明したように、フィードフォワード制御を実施するようになることで、荷重最大値の時間変化と制御量（起伏角速度）との関係が理論上線形になるため、特に相性がよいといえる。つまり、時々刻々と更新されていく荷重最大値は正方向（増加方向）にのみ変化するため、振動成分が除去されることで荷重データの線形性がより明瞭になるため、いっそう荷重変化を把握しやすくなって起伏角速度を制御しやすくなる。【００４９】
（効果）
次に、本実施例の地切り制御装置Ｄ、及び、移動式クレーンとしてのラフテレーンクレーン１の奏する効果を列挙して説明する。【００５０】
（１）さらに、本実施例の地切り制御装置Ｄは、ブーム１４と、ウインチ１３と、荷重計測手段２２と、ブーム１４及びウインチ１３を制御する制御部としてのコントローラ４０であって、ウインチ１３を巻上げて吊荷を地切りする際に、荷重データの時系列から荷重最大値を変数として保持し、荷重最大値の時間変化に基づいてブーム１４の起伏角度の変化量を求め、該変化量を補うようにブーム１４を起伏させるようになっている、コントローラ４０と、を備えている。このような構成であるから、荷振れを抑制しつつ、高速に吊荷を地切りすることのできる地切り制御装置Ｄとなる。【００５１】
すなわち、地切り制御装置Ｄは、時々刻々の荷重最大値の時間変化に注目することで、データの振動的な成分を乗り除くことができる。ブーム１４のたわみ振動があると、たわみ振動の固有周期以上はデータが収束しているか否かを見極めるために待つ必要がある。これに対して、本実施例の地切り制御装置Ｄでは、高速で地切りすることによって、撓み振動の固有周期以内に、又は、撓み振動が発生するよりも前に地切りすることで、この問題を解決している。【００５２】
また、地切り制御装置Ｄでは、荷重最大値の時間変化と起伏角の関係が線形関係であることに着目し、荷重最大値の時間変化のみに基づいてフィードフォワード制御を実施することで、従来のように複雑なフィードバック制御を実施することなく、きわめて高速に吊荷を地切りすることができる。特に、本実施例では、フィードフォワード制御を実施するようになることで、荷重最大値の時間変化と制御量（起伏角速度）との関係が理論上線形になるため、特に相性がよいといえる。【００５３】
（２）また、ブーム１４の姿勢を計測する姿勢計測手段２３をさらに備え、コントローラ４０は、計測されたブーム１４の姿勢の初期値と、計測された荷重の初期値と、に基づいて対応する特性テーブル又は伝達関数を選択し、特性テーブル又は伝達関数を使用して、荷重最大値の時間変化からブーム１４の起伏角度の変化量を求めるようになっていることが好ましい。【００５４】
このように構成すれば、地切り制御の開始時に、ウインチ１３を一定速度で巻上げ、荷重最大値の時間変化に合わせて特性テーブル（又は伝達関数）から起伏角制御量を算出してフィードフォワード制御を実施することで、荷振れなく高速に地切りすることができる。加えて、調整するパラメータが少なくなることで、出荷時の調整を迅速かつ容易に実施できる。【００５５】
（３）さらに、コントローラ４０は、ウインチ１３を巻上げて吊荷を地切りする際に、ウインチ１３を定速で巻上げるようにされていることが好ましい。このように構成すれば、慣性力等の外乱の影響を抑制して、応答（計測された荷重値）を安定させることで、地切り判定を容易にすることができる。【００５６】
（４）また、コントローラ４０は、ウインチ１３を巻上げて吊荷を地切りする際に、荷重最大値が所定時間にわたって変化がない状態が継続することによって、地切りしたと判定するようにされている。このように構成すれば、フィードフォワード制御に使用される荷重最大値を利用して、容易かつ高速に地切りの有無を判定することができる。【００５７】
（５）また、本実施例の移動式クレーンであるラフテレーンクレーン１は、上述したいずれかの地切り制御装置Ｄを備えることで、荷振れを抑制しつつ、高速に吊荷を地切りすることのできるラフテレーンクレーン１となる。【００５８】
以上、図面を参照して、本発明の実施例を詳述してきたが、具体的な構成は、この実施例に限らず、本発明の要旨を逸脱しない程度の設計的変更は、本発明に含まれる。【００５９】
例えば、実施例では特に説明しなかったが、ウインチ１３としてメインウインチを使用して地切りする場合でも、サブウインチを使用して地切りする場合でも、本発明の地切り制御装置Ｄを適用することができる。
【符号の説明】
【００６０】
Ｄ：地切り制御装置；  ａ：線形係数；
１：ラフテレーンクレーン；  １０：車体；  １２：旋回台；
１３：ウインチ；  １４：ブーム；  １６：ワイヤ；  １７：フック；
２０：地切りスイッチ；
２１：ウインチ速度設定手段；
２２：圧力計（荷重計測手段）；
２３：起伏角度計（姿勢検出手段）；
４０：コントローラ；
４０ａ：選択機能部；  ４０ｂ：地切り判定機能部；  ４０ｃ：最大値更新機能部；
５１：旋回レバー；  ５２：起伏レバー；
５３：伸縮レバー；  ５４：ウインチレバー；
６１：旋回モータ；  ６２：起伏シリンダ；
６３：伸縮シリンダ；  ６４：ウインチモータ
【図１】
2020166690.tif 000006
【図２】
2020166690.tif 000007
【図３】
2020166690.tif 000008
【図４】
2020166690.tif 000009
【図５】
2020166690.tif 000010
【図６】
2020166690.tif 000011
【図７】
2020166690.tif 000012
【図８】
2020166690.tif 000013
【図９】
2020166690.tif 000014
【国際調査報告】
2020166690.tif 000015
2020166690.tif 000016
2020166690.tif 000017
2020166690.tif 000018
2020166690.tif 000019